(57)【要約】【課題】従来の内フラップを外側に折癖を付けるのを２箇所から１箇所にしても内外フラップが干渉せず折り曲げができ、箱素材から組立までの狭い空間での設置が可能で、且つ、折り曲げにシリンダー等を使用しない安価な折り曲げ方法を得るにある。【解決手段】積み重ねられた箱素材と、この箱素材の一枚を吸着板等で引き出す時、前記箱素材下部の一対の内外フラップ部を内フラップから押し外フラップが外側に向け曲げ角度を付ける抵抗部材と、前記箱素材を開函したとき内フラップが内側に収まる状態になるよう箱組立時の内外フラップ干渉防止方法を構成している。これにより、内外フラップの干渉と破損がなくなった。【選択図】図１
2007301966.tif 000002
【特許請求の範囲】
【請求項１】
積み重ねられた箱素材と、この箱素材の一枚を吸着板等で引き出す時、前記箱素材下部の一対の内外フラップ部を内フラップから押し外フラップが外側に向け曲げ角度を付ける抵抗部材と、前記箱素材を開函したとき内フラップが内側に収まる状態になることを特徴とする箱組立時の内外フラップ干渉防止方法。
【請求項２】
積み重ねられた箱素材と、この箱素材の一枚を吸着板等で引き出す時、前記箱素材下部の一対の内外フラップ部を内フラップから押し外フラップが外側に向け曲げ角度を付ける抵抗部材と、前記抵抗部材はブラシ等を用い箱素材の飛び出し防止用のブラシの横に設け、箱素材の搬送方向にスペースを取らず設置し、前記箱素材を開函したとき内フラップが内側に収まる状態になることを特徴とする箱組立時の内外フラップ干渉防止方法。
【請求項３】
抵抗部材は上下左右に移動し多種類の箱組立に適用可能にした請求項１、２記載の箱組立時の内外フラップ干渉防止方法。
【発明の詳細な説明】
【技術分野】
【０００１】  本発明は箱組立時フラップ折り曲げにおける内外フラップの干渉を防止する方法に関する。
【背景技術】
【０００２】  従来、箱組立時、フラップ折り曲げにおける内外フラップの干渉を防止するため、箱素材の状態から吸着板で引き出し箱組立に入る工程の間で内フラップ２箇所をシリンダー等で外側に押し出し折り曲げ癖を付けた後内フラップを内側に折収めていた。【０００３】  しかしながら、従来の箱素材の状態から箱組立までの工程間には空間がなく、内フラップ２箇所をシリンダー等で外側に折り曲げるには難点があった。更に、内フラップを折り曲げるのにシリンダー等を使用するのは高価格となり採用の拡大にも難点があった。
【特許文献】特開２００５−２８９０１９
【発明の開示】
【発明が解決しようとする課題】
【０００４】  本発明は以上のような従来の欠点に鑑み、従来の内フラップを外側に折癖を付けるのを２箇所から１箇所にしても内外フラップが干渉せず折り曲げができ、箱素材から組立までの狭い空間での設置が可能で、且つ、折り曲げにシリンダー等を使用しない安価な折り曲げ方法を提供することを目的とする。【０００５】  本発明の前記ならびにそのほかの目的と新規な特徴は次の説明と図面を照らし合わせて読むとより完全に明らかになることであろう。
ただし、図面はもっぱら解読のものであって、本発明の技術的範囲を限定するものではない。
【課題を解決するための手段】
【０００６】  上記目的を達成するために、本発明は積み重ねられた箱素材と、この箱素材の一枚を吸着板等で引き出す時、前記箱素材下部の一対の内外フラップ部を内フラップから押し外フラップが外側に向け曲げ角度を付ける抵抗部材と、前記箱素材を開函したとき内フラップが内側に収まる状態になるよう構成されている。
【発明の効果】
【０００７】  以上の説明で明らかなように、本発明にあっては次に列挙する効果が得られる。
（１）本発明は積み重ねられた箱素材と、この箱素材の一枚を吸着板等で引き出す時、前記箱素材下部の一対の内外フラップ部を内フラップから押し外フラップが外側に向け曲げ角度を付ける抵抗部材と、前記箱素材を開函したとき内フラップが内側に収まる状態になるよう構成されている。
したがって、箱素材組立時、外フラップは外側に角度が付いているため、内フラップは内側に折り曲げ収まっており、その結果、外フラップも若干外側に開くため、対になるもう一方の内フラップも外フラップに干渉せず折り曲げられる状態になっているため、箱組立時には内外フラップが干渉、破損することは避けられる。【０００８】（２）本発明だと箱素材の取り出し口から開函までの狭い箇所でも１本の抵抗部材となるバー等の設置で内外フラップを内フラップから押して外フラップを外側に角度を付けることで、箱組立時に内外フラップが干渉、破損することが避けられる。
また、従来のようにエアーシリンダー等で２箇所から内フラップを押して外フラップを外側に角度を付けることもなく、一本の抵抗部材であるバー等を設置するだけですむため部品コストが安くすむ。【０００９】  請求項２では、抵抗部材となるブラシ等を箱素材の飛び出し防止用のブラシの横に設けたことで、箱素材の搬送方向にスペースを取らず従来のスペー内で設置が可能である。この他は、請求項１の効果と同じである。【００１０】  請求項３では、抵抗部材はネジ等で上下左右に調整できるので、多種類の箱素材に適用することができる。
【発明を実施するための最良の形態】
【００１１】  以下、図面に示す実施するための第１の最良の形態により本発明を詳細に説明する。
図１ないし図５は本発明の第１の実施するための最良の形態において、１は箱素材、２は開函した箱素材、３、３′は内フラップ、４、４′は外フラップで５は抵抗部材である。
図１に示す通り、重ね合わせた箱素材１を取り出し、内外フラップ３、４を折り曲げ方向１２に力を加えることで外側に折癖をつける。後、図示はしていないが箱素材１の箱巾面１３を開函ガイドに当てることで箱素材１を開くと開函した箱素材２となり、内フラップ３は内側に折癖がつき、内側に収まっている状態を示している。【００１２】  図２、図３は内外フラップ３，４が折り曲げられ折癖がつけられる工程を示す。
本発明では、重ね合わされた箱素材１を吸着板９等で引き出し搬送する際、本装置の直後に抵抗部材５を設置し、抵抗部材５で内外フラップ３、４を内側から外側に押し曲げ折癖が付けられる状態を示したものである。【００１３】  図４は抵抗部材５を用いて内フラップ３を押し内外フラップ３，４に折癖を付けた状態を示した図である。
図５は折癖の付いた箱素材１″を吸着板９で引き、図示はしていないが開函ガイドを用いて箱素材１の箱巾面１３にあて箱素材１を開函する。この時点で、外フラップ４は外側に曲げ角度が付いているため内フラップ３は内側に折れ収まり、対となるもう一方の内フラップ３′も外フラップ４′に干渉せず折り曲げられる。
この後、外フラップ折り曲げ具１１，１１′を作動させ外フラップ４，４′を外側から内側に折り収め箱組立は完了する。【００１４】  また、図４の状態から、図５の状態になる吸着板押さえ動作ストロークＳは実際狭くシリンダー等は設置に難点があるが、本発明の抵抗部材５なるバー等ならスペースを取らないため設置が可能である。【００１５】  本発明を実施するための第２の最良の実施の形態を図６、図７、図８に示す。
なお、これらの本発明の実施するための第２の形態の説明にあたって、前記の本発明の第１の最良の形態と同一構成部品には同一符号を付して重複説明を省略する。【００１６】  本発明の特徴は図６、図７に示す通り箱素材１を一枚毎に吸着板９で取り出す際、従来よく使われているブラシの一部を抵抗部材５′として用いるためにブラシを高めにして剛性を上げている。図８に示すとおり、吸着板９で吸引し引き出された箱素材１は抵抗部材５′の抵抗で内外フラップ３、４、を内フラップ３から外側に押し角度を付けるようにしている。【００１７】  本発明だと抵抗部材５′は従来ブラシと同一場所で、内フラップ３に当たる位置に取り付けられているため、箱素材１から開函までの吸着板押さえ動作スペースＳなる狭いスペースでも内外フラップ３、４を内側から押し外側に角度を付けることが可能である。【００１８】  抵抗部材５、５′は図２、図３及び図６、図７に示す通り上下調整ネジ６および左右調整ネジ７を調整移動させることで多種類の箱素材１に適用が可能である。【００１９】  また、図２に示す抵抗部材５の上端部８は内外フラップ３，４がスムーズに折り曲げられるようベアリング等の回転体を適用するのが好ましい。
【産業上の利用可能性】
【００２０】  本発明は箱素材の製造、開函組立てする産業で利用される。
【図面の簡単な説明】
【００２１】
【図１】本発明の第１の実施の形態の箱素材を開函した状態を示した立体図。
【図２】本発明の第１の実施の形態の動作順序を示した側面図。
【図３】本発明の第１の実施の形態の正面図。
【図４】本発明の第１の実施の形態の折り曲げ状況を示した側面図。
【図５】本発明の第１の実施の形態の開函と内外フラップ折り曲げ状況を示した図。
【図６】本発明の第２の実施の形態の側面図。
【図７】本発明の第２の実施の形態の正面図。
【図８】本発明の第２の実施の形態の動作順序を示した側面図。
【符号の説明】
【００２２】１、  １、１′、１′′箱素材、
２、  開函した箱素材、
３、  ３′内フラップ、
４、  ４′外フラップ、
５、  ５′抵抗部材、
６、  上下調整ネジ、
７、  左右調整ネジ、
８、  抵抗部材上端部、
９、  吸着板、
１０、  上押さえプレート、
１１、  １１′外フラップ折り曲げ具、
１２、  折り曲げ方向
１３、  箱巾面
１４、  箱長さ面
Ｓ、  吸着板押さえ動作ストローク、
【図１】
2007301966.tif 000003
【図２】
2007301966.tif 000004
【図３】
2007301966.tif 000005
【図４】
2007301966.tif 000006
【図５】
2007301966.tif 000007
【図６】
2007301966.tif 000008
【図７】
2007301966.tif 000009
【図８】
2007301966.tif 000010